(57)【要約】【課題】  コンピュータから表示装置を着脱させる。【解決手段】  メインバッテリ（２８）を含む基本ユニット（１０）と、表示装置（２６）と表示装置用バッテリ（３０）とを有し、前記基本ユニット（１０）に結合された表示ユニット（１２）とを備え、前記表示ユニット（１２）は前記基本ユニット（１０）から選択的に着脱可能であり、前記基本ユニット（１０）は前記表示装置（２６）と無線でつながっている携帯用コンピュータ。【選択図】図１
2006092552.tif 000002
【特許請求の範囲】
【請求項１】
メインバッテリを含む基本ユニットと、
表示装置と表示装置用バッテリとを有し、前記基本ユニットに結合された表示ユニットと
を備え、
前記表示ユニットは前記基本ユニットから選択的に着脱可能であり、前記基本ユニットは前記表示装置と無線でつながっている携帯用コンピュータ。
【請求項２】
前記表示装置に結合した表示装置カバーをさらに備え、前記表示装置用バッテリが前記表示装置と表示装置カバーとの間に配置される請求項１に記載の携帯用コンピュータ。
【請求項３】
前記基本ユニットがさらにグラフィックスアダプタを備え、前記グラフィックアダプタが前記表示装置に無線でつながっている請求項１に記載の携帯用コンピュータ。
【請求項４】
前記表示ユニットが前記基本ユニットから切離されたときに、前記グラフィックスアダプタが前記表示装置に無線でつながっている請求項３に記載の携帯用コンピュータ。
【請求項５】
前記基本ユニット内における無線通信装置と、
前記表示ユニット内において、前記表示装置に結合された無線通信装置と
を備え、前記基本ユニットが前記無線通信装置を介して前記表示装置に無線で通信する請求項１に記載の携帯用コンピュータ。
【請求項６】
前記表示ユニットがさらに、前記表示装置に対して動作可能な関係にあるディジタイザを有し、当該ディジタイザからのデータが、前記基本ユニットに無線でつなげられている請求項１に記載の携帯用コンピュータ。
【請求項７】
携帯用コンピュータ上において、プロセッサとメインバッテリとを有する基本ユニットから、表示装置と表示装置用バッテリとを有する表示ユニットを切り離すステップと、
前記表示装置用バッテリによって前記表示装置に電力を供給するステップと、
前記基本ユニットから前記表示装置に無線で通信するステップと
を含む方法。
【請求項８】
前記電力を供給するステップが、前記表示装置と前記表示装置の外側カバーとの間に配置された前記バッテリから、電力を供給するステップをさらに含む請求項７に記載の方法。
【請求項９】
前記切り離すステップが、前記表示装置の前記外側カバーにヒンジ接続された下部カバーにより、少なくとも部分的に画定された体積内に前記基本ユニットを少なくとも部分的に取り外すステップをさらに含む請求項７に記載の方法。
【請求項１０】
無線で通信するステップが、電磁放射を用いて、前記基本ユニットから前記表示装置に画像を通信することをさらに含む請求項７に記載の方法。
【発明の詳細な説明】
【技術分野】
【０００１】
本発明は、携帯用コンピュータに関し、特に、着脱可能な表示装置を備える携帯用コンピュータに関する。
【背景技術】
【０００２】
ラップトップ型コンピュータ、ノートブック型コンピュータ等の携帯用コンピュータは、離れた場所でもバッテリ電力を用いて動作するという点において、デスクトップ型コンピュータよりも優れた利点を持つ。しかしながら、携帯用コンピュータは、携帯性が高くなると、使い勝手が悪くなることがある。特に、携帯用コンピュータは、小型のキーボード（デスクトップ型用の標準サイズのキーボートと比較して）を有することがある。さらに、通常では一体型表示装置とキーボードとの間には固定された関係があり、このためにユーザが使い勝手のいい作業環境を作り出すことが難しくなる。さらにまた、一体型表示装置とキーボードとの間の固定された関係は、他の機能、例えば、複数の人に対して見せることなどに関して、携帯用コンピュータの使用を難しくする。
【発明の開示】
【発明が解決しようとする課題】
【０００３】
上記問題を鑑みて、本発明では、コンピュータから表示装置を着脱させることを課題とする。
【課題を解決するための手段】
【０００４】
上記問題は、主に、着脱可能な表示装置を備える携帯用コンピュータの方法及びシステムによって解決される。いくつかの実例となる実施形態では、主バッテリを含む基本ユニットと、基本ユニットに結合された表示ユニットとを含む携帯用コンピュータでよい。表示ユニットは基本ユニットから選択的に着脱可能であり、基本ユニットは表示装置に無線で接続されている。
【発明を実施するための最良の形態】
【０００５】
本発明の例示的な実施形態を詳細に説明するために、以下では添付図面を参照する。
【０００６】
［表記と用語］
以下の説明及び特許請求の範囲の全体にわたって、特定のシステム構成要素を参照するために特定の用語を使用する。当業者は、コンピュータ会社が構成要素を様々な名前で呼ぶことがあることを理解するであろう。この文書は、名前が異なるが機能が同じ構成要素を区別しようとするものではない。以下の説明と特許請求の範囲において、用語「含む」は、制限のない形で使用されており、したがって、「を含むがそれに限定されない」ことを意味すると解釈されるべきである。また、用語「つながる」「結合する」は、間接的と直接的いずれの電気接続も意味する。したがって、第１の装置が第２の装置に結合する場合、その接続は、直接的な電気接続によるものでもよく、他の装置や接続を介した有線あるいは無線による間接的な電気接続によるものでもよい。
【０００７】
図１は、本発明の実施形態により構成された携帯用コンピュータ１００の電気的ブロック図を示す。広義には、携帯用コンピュータは、基本ユニット１０と着脱可能な表示ユニット１２の２つの主構成要素を含む。これらの各構成要素について順に検討する。
【０００８】
基本ユニット１０は、多くの場合ブリッジ素子１８によってメインメモリアレイ１６に結合されたプロセッサ１４を含む。プロセッサ１４は、現在使用可能又は今後開発される任意のプロセッサでよい。メインメモリアレイ１６はランダムアクセスメモリ（ＲＡＭ）でよく、単一のＲＡＭ素子でもよくＲＡＭ素子のアレイの形でもよい。ブリッジ素子１８は、ホストバス２０を介してプロセッサ１４に結合され、メモリバス２１を介してメインメモリアレイ１６に結合されている。ブリッジ素子１８は、プロセッサのメインメモリアレイ１６に対するアクセスを制御する。
【０００９】
基本ユニット１０は、さらに、多くの場合ブリッジ素子１８を介してプロセッサ１４に結合されたグラフィックスアダプタ２２を含む。いくつかの実施形態において、グラフィックスアダプタ２２は、アドバンスドグラフィックスポート（ＡＧＰ）バス２４を介してブリッジ素子１８に結合されるが、現在使用可能又は今後開発される任意のバスを使用することができる。グラフィックスアダプタ２２は、プロセッサ１４上で実行されるプログラムによって生成されたグラフィックスプリミティブを受け取り、そのグラフィックスプリミティブを表示装置２６上の表示に適した画像に変換する役割を持つ。基本ユニット１０は、さらに、少なくとも基本ユニット１０の様々な構成要素に電力を提供するメインバッテリ２８を含むことがある。
【００１０】
携帯用コンピュータ１００は、さらに、液晶ディスプレイ（ＬＣＤ）などの表示装置２６と表示装置用バッテリ３０とを含む表示ユニット１２を備える。いくつかの実施形態において、ディジタイザ２７が、表示装置２６上に重ねられている場合があり、それにより、表示ユニット１２は基本ユニット１２への手書き入力を可能にする。本発明の実施形態によれば、第１の構成において、携帯用コンピュータ１００の表示ユニット１２は、基本ユニット１０に物理的に取り付けられている。第２の構成において、表示ユニット１２は、基本ユニット１０から物理的に切り離されており、それにより、ユーザは、人々の集まりに見せる際などに他の人が表示内容を見ることができるように、表示ユニット１２を使い勝手よく配置しかつ／又は位置決めすることができる。
【００１１】
携帯用コンピュータ１００が、その基本ユニット１０と表示ユニット１２を取り付けられているとき、メインバッテリ２８と表示装置用バッテリ３０が、継手３２によって電気的に結合される。このようにして、携帯用コンピュータ１００の様々な構成要素への電源は、メインバッテリ２８と表示装置用バッテリ３０の両方によって共用される。さらに、図１に示した結合された構成では、メインバッテリ２８と表示装置用バッテリ３０の両方を同時に充電することができる。代替の実施形態において、基本ユニット１０と表示ユニット１２が取り付けられているとき、表示装置２６はメインバッテリ２８だけから電力を取り出す。さらに他の代替の実施形態において、表示装置用バッテリ３０とメインバッテリが同時に充電されている場合でも、表示装置２６は表示装置用バッテリ３０だけから電力を取り出す。
【００１２】
表示ユニット１２が基本ユニット１０から分離されるか又は切り離されているときに、本発明の実施形態においてグラフィックスアダプタ２２から表示装置２６へのデータの通信を容易にするために、基本ユニット１０は、さらに、グラフィックスアダプタ２２に結合された無線トランシーバ３２を備える。同様に、表示ユニット１２は、表示装置２６に結合された無線トランシーバ３４を備える。したがって、グラフィックスアダプタ２２は、無線トランシーバ３２と無線トランシーバ３４とを使用して無線で表示装置２６につながれる。無線トランシーバ３２と無線トランシーバ３４の間の通信には、例えば、Ｂｌｕｅｔｏｏｔｈ、ＩＥＥＥ８０２．１１、及び／又は他の形の電磁放射式通信など、現在使用可能又は今後開発される任意の無線通信システムを利用することができる。いくつかの実施形態において、表示内容の基本ユニット１０から表示装置ユニット１２への通信は一方向通信である。代替の実施形態において、無線トランシーバ３４は、基本ユニット１０と表示ユニット１２の間の通信の正確さを検証することができ、したがって通信でデータ損失があった場合に情報の一部の再送信を要求する機能を有することができる。
【００１３】
図２は、表示ユニット１２に結合された基本ユニット１０を有する携帯用コンピュータ１００の斜視図を示す。表示ユニット１２は、表示装置２６ならびに外側カバー３６と下部カバー３８を含む。この結合された構成において、基本ユニット１０は、下部カバー３８の上に設置されそれに結合されている。図２に示したように、下部カバー３８は、丸い前縁３９と丸い後縁４１を有する。基本ユニット１０が設置されるカバー３８の内側底面に関する、前縁３９と後縁４１の上部の高さの差が、基本ユニット１０が表示ユニット１２に結合されたときに、基本ユニット１０を少なくとも部分的に置ける体積を画定する。
【００１４】
図３は、基本ユニット１０が表示ユニット１２から切り離された状態の携帯用コンピュータ１００を示す。この構成において、下部カバー３８は、ヒンジ４０のまわりに回転して、架台又はスタンドが表示装置２６を実質的に直立構成に向ける。図３に示した構成において、ビデオ画像が、無線トランシーバ３２と３４（図１に示した）によって、基本ユニット１０から表示ユニット１２に無線で送られる。さらに、表示装置用バッテリ３０がメインバッテリ２８から切り離され、表示装置２６は、表示装置用バッテリ３０（図１）から供給される電力によって動作する。同様に、切り離された構成において、基本ユニット１０は、メインバッテリ２８（図１）から供給される電力によって動作する。
【００１５】
図４は、本発明の少なくともいくつかの実施形態による表示装置用バッテリ３０の配置を示すために、基本ユニット１０が表示ユニット１２に取り付けられた状態の携帯用コンピュータ１００の部分立面断面図を示す。詳細には、表示ユニット１２は、表示装置カバー３６内で結合された表示装置２６を含む。本発明の実施形態による表示装置用バッテリ３０は、表示装置２６と表示装置カバー３６の間に「サンドイッチ」式に配置される。代替として、バッテリ３０は、表示装置カバー３６の外側部分に結合され、したがって、表示装置カバー３６が表示装置２６とバッテリ３０の間に挟まれてもよい。したがって、バッテリ３０は、長方形形状を有しかつ比較的薄くすることができ、その結果、表示ユニット１２のバッテリ３０を含む部分の全体的な厚さが不釣り合いに大きくなることはない。本発明の実施形態において、長方形形状に形成された現在使用可能又は今後開発される任意のバッテリシステムを使用することができる。例えば、開示した実施形態において、カナダ国オンタリオ州ミシソーガのＥｌｅｃｔｒｏｖａｙａ社から入手可能なＰｏｗｅｒＰａｄ装置のいくつかを使用することができる。
【００１６】
さらに図４を参照すると、表示装置用バッテリ３０は、結合器４０を介して表示装置に結合されている。結合器４０は、また、配線４２によって、表示装置用バッテリ３０をメインバッテリ２８に電気的に結合する。したがって、携帯用コンピュータ１００が、例えば、使用可能なコンセントや外部バッテリからコードによって、外部電源から充電されるとき、その電源装置は、メインバッテリ２８と表示装置用バッテリ３０を同時に充電する。
【００１７】
以上の考察は、本発明の原理と様々な実施形態を示すためのものである。以上の開示を完全に理解した後で、当業者には多くの変形及び修正が明らかになるであろう。例えば、１つの基本ユニットと表示装置だけを示しているが、基本ユニットが複数の表示装置に同報通信してもよく、必ずしもそのような表示ユニットの全てが基本ユニットに取り付けられなくてもよい。さらに、代替の実施形態において、表示装置用バッテリと表示装置が表示装置カバーの反対側に結合されてもよい。
【図面の簡単な説明】
【００１８】
【図１】本発明の実施形態により構成された携帯用コンピュータ１００の電気的ブロック図である。
【図２】本発明の実施形態による第１の構成の携帯用コンピュータを示す図である。
【図３】本発明の実施形態による第２の構成の携帯用コンピュータを示す図である。
【図４】本発明の実施形態による携帯用コンピュータの部分断面図である。
【符号の説明】
【００１９】
１０  基本ユニット
１２  表示ユニット
２６  表示装置
２８  メインバッテリ
３０  表示装置用バッテリ
１００  携帯用コンピュータ
【図１】
2006092552.tif 000003
【図２】
2006092552.tif 000004
【図３】
2006092552.tif 000005
【図４】
2006092552.tif 000006